(57)【特許請求の範囲】
【請求項１】
対向する内表面とその反対側の外表面において電気分解可能な陽極板及び陰極板を有する電解槽に、希塩酸供給ポンプを吐出流量を調整しながら駆動して希塩酸を該電解槽の下部より供給すると共に、
該電解槽内に供給される希塩酸の全部を、該電解槽の下部から上部に上昇して、前記電解槽の上部である蓋部に貫通して形成された混入管路に流入されるまでに、前記両電極板への電流を調整して電気分解して次亜塩素酸水を生成し、
貯留タンク内の水を、該貯留タンクに流入管部と流出管部において接続された循環管路内において循環流動すると共に、
前記循環管路の中間部に連通接続された前記混入管路の混入箇所において、前記電解槽内で生成し該混入通路からの次亜塩素酸水を、前記循環管路内の流動する水又は次亜塩素酸水に混入するようにして、前記貯留タンク内を徐々に濃度の高い次亜塩素酸水とし、
前記貯留タンク内の次亜塩素酸水が所望の濃度となるまで運転を継続するようにした次亜塩素酸水の生成方法。
【請求項２】
対向する内表面とその反対側の外表面において電気分解可能な陽極板及び陰極板を有する電解槽に、希塩酸供給ポンプを吐出流量を調整しながら駆動して希塩酸を該電解槽の下部より供給すると共に、
該電解槽内に供給される希塩酸の一部を、該電解槽の下部から上部に上昇して、前記電解槽の上部である蓋部に貫通して形成された混入管路に流入されるまでに、前記両電極板への電流を調整して電気分解して、前記混入管路に流入される時に、該次亜塩素酸水のｐＨが５．０〜６．５の範囲内となるように、次亜塩素酸水を生成し、
貯留タンク内の水を、該貯留タンクに流入管部と流出管部において接続された循環管路内において循環流動すると共に、
前記循環管路の中間部に連通接続された前記混入管路の混入箇所において、前記電解槽内で生成し該混入通路からの次亜塩素酸水を、前記循環管路内の流動する水又は次亜塩素酸水に混入するようにして、前記貯留タンク内を徐々に濃度の高い次亜塩素酸水とし、
前記貯留タンク内の次亜塩素酸水が所望の濃度となるまで運転を継続するようにした次亜塩素酸水の生成方法。
【請求項３】
前記陽極板及び陰極板の板面にそれぞれ複数の貫通孔を形成した請求項１又は請求項２に記載の次亜塩素酸水の生成方法。
【発明の詳細な説明】
【技術分野】
【０００１】
本発明は殺菌水として有効な次亜塩素酸水の生成用の電解装置及び次亜塩素酸水の生成方法に関する。
【背景技術】
【０００２】
従来の次亜塩素酸水の電解装置として、図４に示すように、内壁に互いに平行に対峙して配設した陽極板ａと陰極板ｂとを有する電解槽ｃに、食塩及び塩酸を少量含む電解添加液を送り、前記電解槽ｃ内で電気分解して、生成した次亜塩素酸及び希塩酸を混合槽ｄで水を加えて希釈して、次亜塩素酸水を得るようにしたものが知られている（特許文献１参照）。
【先行技術文献】
【特許文献】
【０００３】
【特許文献１】特開平９−１２２６５１号公報
【発明の概要】
【発明が解決しようとする課題】
【０００４】
しかしながら、このような従来の電解装置は、通常、該電解槽ｃ内に供給した希塩酸の全部を電気分解できないので、この電気分解されなかった希塩酸により、生成した次亜塩素酸水のｐＨが低い値となり、この次亜塩素酸水の中和のためにカルシウムなどを含む硬度の高い水が必要であるという問題があった。
【０００５】
本発明はこれらの問題点を解消し、電解槽内に供給された希塩酸の全部を電気分解できる次亜塩素酸水生成用電解装置及び次亜塩素酸水の生成方法を提供することを目的とする。
【課題を解決するための手段】
【０００６】
前記の目的を達成すべく、第１発明は次亜塩素酸水の生成方法に関し、対向する内表面とその反対側の外表面において電気分解可能な陽極板及び陰極板を有する電解槽に、希塩酸供給ポンプを吐出流量を調整しながら駆動して希塩酸を該電解槽の下部より供給すると共に、該電解槽内に供給される希塩酸の全部を、該電解槽の下部から上部に上昇して、前記電解槽の上部である蓋部に貫通して形成された混入管路に流入されるまでに、前記両電極板への電流を調整して電気分解して次亜塩素酸水を生成し、貯留タンク内の水を、該貯留タンクに流入管部と流出管部において接続された循環管路内において循環流動すると共に、前記循環管路の中間部に連通接続された前記混入管路の混入箇所において、前記電解槽内で生成し該混入通路からの次亜塩素酸水を、前記循環管路内の流動する水又は次亜塩素酸水に混入するようにして、前記貯留タンク内を徐々に濃度の高い次亜塩素酸水とし、前記貯留タンク内の次亜塩素酸水が所望の濃度となるまで運転を継続するようにした。
【発明の効果】
【０００７】
本発明によれば、電解槽内に供給された希塩酸のうち未分解の希塩酸がないので、生成した次亜塩素酸水のｐＨが中性付近を示し、次亜塩素酸水の中和のためにカルシウムなどを含む硬度の高い水を必要としない。
【０００８】
また、両電極板の内表面のみならず外表面に供給された希塩酸も電気分解に寄与されるので電流効率を上げることができる。
【図面の簡単な説明】
【０００９】
【図１】本発明の次亜塩素酸水生成用の電解装置の実施例１の管路図である。
【図２】図１のＩＩ−ＩＩ線截断面図である。
【図３】本発明の次亜塩素酸水生成用の電解装置の電解槽の実施例２の縦断正面図である。
【図４】従来の次亜塩素酸水生成用の電解装置の管路図である。
【発明を実施するための形態】
【００１０】
本発明を実施するための形態の実施例を以下に示す。
【実施例１】
【００１１】
本発明の次亜塩素酸水生成用電解装置の実施例１を図１及び図２により説明する。
【００１２】
図１において、１は電解槽を示し、該電解槽１は、その内部に矩形状の陽極板２ａと矩形状の陰極板２ｂとが対向して設けられており、該陽極板２ａ及び該陰極板２ｂは、対向する内表面とその反対側の外表面において電気分解が可能に露出して形成されている。
【００１３】
３は希塩酸タンクを示し、該希塩酸タンク３は、例えば、約３％濃度の希塩酸が貯留され、また、該希塩酸タンク３と前記電解槽１の下部である底部１ａとの間に送水管４が連結されていると共に、該送水管４に希塩酸供給ポンプ５が介在されており、該希塩酸供給ポンプ５の駆動により前記希塩酸タンク３内の希塩酸を前記電解槽１内に供給するようにした。
【００１４】
６は貯留タンク、７は循環管路を示し、該循環管路７はその流入管部７ａと流出管部７ｂにおいて前記貯留タンク６に接続すると共に、該循環管路７の中間部に循環ポンプ８を介在し、該循環ポンプ８の駆動により、前記貯留タンク６内の水が前記流入管部７ａから流入して前記循環管路７内を流動し前記流出管路７ｂより前記貯留タンク６内に流出し、前記循環管路７内を水又は次亜塩素酸水が循環するようにした。
【００１５】
９は混入管路を示し、該混入管路９は、前記電解槽１の上部である蓋部１ｂに貫通して形成されていると共に、該混入管路９の流出端部が前記循環管路７の中間部に連通接続して、その連通接続した混入箇所Ａにおいて、前記電解槽１内で生成し該混入管路９からの次亜塩素酸水を、前記循環管路７内を流動する水又は次亜塩素酸水に混入するようにした。
【００１６】
１０は貯留タンク６の排出管を示す。
【００１７】
１１は前記陽極板２ａと陰極板２ｂにリード線を介して接続される電流量調整装置を示し、該電流量調整装置１１は、前記電解槽１内に供給された希塩酸の全部が、該電解槽１の下部から上部に上昇して前記混入管路９内に流入されるまでに、下記の数１の反応式に基づき電気分解される電流量を前記両電極板２ａ，２ｂに通電する。
【００１８】
（数１）
２ＨＣｌ＋Ｈ２Ｏ→ＨＣｌ＋ＨＣｌＯ＋Ｈ２
【００１９】
また、前記貯留タンク６には、前記電解槽１で発生した水素ガスを外部に排出する排出口（図示せず）を有している。
【００２０】
次に前記実施例１の電解装置による次亜塩素酸水の生成方法とその効果について説明する。
【００２１】
希塩酸供給ポンプ５をその吐出流量を調整しながら駆動して希塩酸タンク３内の希塩酸を少量ずつ前記電解槽１内に底部１ａから供給すると共に、前記電流量調整装置１１により、前記両電極板２ａ，２ｂに通電する。
【００２２】
即ち、供給された希塩酸は前記電解槽１の下部から上部に徐々に上昇していき、この上昇中の希塩酸は前記両電極板２ａ、２ｂにより電気分解されて次亜塩素酸水を生成する。
【００２３】
このとき、これら両電極板２ａ、２ｂの対向する内表面ばかりでなく外表面においても電気分解が行われるので、電気分解が効率的に行われる。また、前記電気量調整装置１１により両電極板２ａ、２ｂの電流を調整して、供給される希塩酸の全部が前記混入管路９内に流入されるまでに電気分解されるようにする。
【００２４】
一方、循環ポンプ８を駆動して、貯留タンク６内の水を循環管路７内を循環流動する。
【００２５】
そして、混入管路９内を流動する前記次亜塩素酸水を、混入個所Ａにおいて循環管路７内を流動する水又は次亜塩素酸水に混入し、該次亜塩素酸水が貯留タンク６内に貯留されていく。
【００２６】
初期の時点では、該貯留タンク６内の次亜塩素酸水は低濃度であるが、該次亜塩素酸水が循環管路７内の循環を繰り返しながら前記電解槽１からの次亜塩素酸水が混入されて徐々に濃度の高い次亜塩素酸水になってくる。そして貯留タンク６内の次亜塩素酸水が所望の濃度になるまで運転を継続する。
【００２７】
このように、希塩酸を電解槽１内に供給ポンプ５により少量ずつ供給して、該電解槽１内で該供給された希塩酸の全部を電気分解して生成した次亜塩素酸水を循環経路７に混入する方式であるので、供給された希塩酸のうち未分解の希塩酸がなく、生成した次亜塩素酸水のｐＨが中性付近を示し、次亜塩素酸水の中和のためにカルシウムなどを含む硬度の高い水を必要としない。
【００２８】
また、生成した次亜塩素酸水のｐＨが中性付近であるので、次亜塩素酸水を室内などに放出して室内空気を殺菌する際に、室内にある鉄やその他の金属類に対する腐食の影響を抑えることができる。
【００２９】
また、生成した次亜塩素酸水のｐＨが中性付近であるので、次亜塩素酸水が長時間安定して、次亜塩素酸水が分解して塩素ガスが発生してしまうことを抑えることができる。
【００３０】
また、該電流量調整装置１１による調整電流が小電流で十分である。
【００３１】
また、構造がシンプルで、取り扱いが簡単であり、安全で、長期に使用でき、メンテナンスフリーな電解装置を提供することができる。
【００３２】
なお、供給された希塩酸を電気分解すると、前記数１の反応式のように、例えば、３０ｐｐｍのＨＣｌＯ（次亜塩素酸）に対して等量の３０ｐｐｍのＨＣｌ（塩酸）が生成されるが、この程度の量の塩酸は、供給された希塩酸中に含まれるＣａ＋＋、Ｎａ＋などによって中和されるので、次亜塩素酸水のｐＨを下げるとしてもごく僅かで、生成した次亜塩素酸水のｐＨが中性付近から外れてしまうほどの影響はない。
【００３３】
なお、前記供給された希塩酸の全部が混入管路９内に流入するまでに電気分解せず、前記供給された希塩酸の一部を電気分解する場合でも、生成した次亜塩素酸水が該混入管路９内に流入される時に、該次亜塩素酸水のｐＨが４．０〜６．５、好ましくは５．０〜６．５の中性付近の範囲内となるように前記電流量調整装置１１により前記両電極板２ａ，２ｂへの電流を調整して通電するようにしてもよい。
【００３４】
前記次亜塩素酸水のｐＨが５．０〜６．５の中性付近の範囲内であれば、該次亜塩素酸水がもっとも安定した状態となり、次亜塩素酸水の９０％以上が分解されずに維持されるので、次亜塩素酸水を殺菌水として使用した場合に、もっとも効率のよい殺菌効果を得ることができる。
【実施例２】
【００３５】
本発明の次亜塩素酸水生成用電解装置の実施例２を図３により説明する。
【００３６】
この実施例２においては、実施例１の電解槽１の陽極板２ａ及び陰極板２ｂの板面に複数の貫通孔１２を設ける。
【００３７】
この実施例２においては、電解槽１内の希塩酸が、該貫通孔１２を通じて、両電極板２ａ、２ｂの内外表面に行き来して、両電極板の外表面も有効に電気分解に寄与することなり、従来の両電極板の内表面のみが希塩酸に接触可能な電解槽に比べて、２倍以上の電流効率を上げることができる。
【００３８】
なお、前記貫通孔１２の形状は、例えば円形状やスリット状等のいずれの形状でもよい。
【００３９】
また、４ｃｍ×１６ｃｍ以上の大きさの電極板に貫通孔を設けるようにすれば、電流効率が特に良くなる。
【産業上の利用可能性】
【００４０】
本発明の次亜塩素酸水生成用電解装置及び次亜塩素酸水の生成方法は、食品工場、養鶏場、搾乳場、農場、医療や介護施設、レストラン等で利用される。
【符号の説明】
【００４１】
１                      電解槽
２ａ                    陽極板
２ｂ                    陰極板
３                      希塩酸タンク
５                      希塩酸供給ポンプ
７                      循環管路
１１                    電流量調整装置
１２                    貫通孔
【図１】
0005711945.tif 000002
【図２】
0005711945.tif 000003
【図３】
0005711945.tif 000004
【図４】
0005711945.tif 000005